(57)【要約】【課題】フェンダーがステップに臨む前部を後輪に向けて陥没させることによりステップ面を拡張し、操縦部の居住性を向上させることができる作業車輛の操縦部構造を提供する。【解決手段】座席６ｃの両側に配置される左右の後輪１ｂの側面及び上面を円弧状のフェンダー２で覆う作業車輛１において、前記フェンダー２がステップ６ｂに臨む前部を後輪１ｂ側に向けて陥没させてステップ面を拡張するフェンダーは凹陥部によってステップ面を後方に向けて簡単に拡張することができると共に、操縦部の居住性を向上させることができ、またステップに臨むフェンダーの前部の機体内側寄りを陥没させると共に、外方側はそのまま円弧として残すことによりフェンダーの剛性を簡単な構成によって高めることができる作業車輛の操縦部構造にしている。【選択図】　　　　図４
2004074917.tif 000002
【特許請求の範囲】
【請求項１】
座席（６ｃ）の両側に配置される左右の後輪（１ｂ）の側面及び上面を円弧状のフェンダー（２）で覆う作業車輛１において、前記フェンダー（２）がステップ（６ｂ）に臨む前部を後輪（１ｂ）側に向けて陥没させてステップ面を拡張することを特徴とする作業車輛の操縦部構造。
【請求項２】
ステップ（６ｂ）に臨むフェンダー（２）の前部の機体内側寄りを陥没させると共に、外方側はそのまま円弧として残すことを特徴とする請求項１記載の作業車輛の操縦部構造。
【請求項３】
フェンダー（２）の機体外側寄りの外周縁を後輪（１ｂ）側に向けて屈曲形成したことを特徴とする請求項１又は２記載の作業車輛の操縦部構造。
【発明の詳細な説明】
【０００１】
【発明の属する技術分野】
本発明は、作業車輛の後輪を覆うフェンダー構造に関する。
【０００２】
【従来の技術】
従来、乗用型の作業車輛は、操縦部のステップの後方で座席の両側に配置される左右の後輪を、側面板部と平面板部とからなるフェンダーで覆っている。
このフェンダー構造は、例えば実公昭５８─２３７４４号公報で示されるものが既に知られている。
【０００３】
【発明が解決しようとする課題】
上記公報で示される構成のフェンダーは、座席に座乗するオペレータの肘部が位置する部分の平面板に、その外周縁側に向けて傾倒する略三角形状の平坦な面取り部を形成するもので、オペレータの肘とフェンダーとの接当を防止することができる利点はあるが、ステップに臨むフェンダーの前側下部は平坦状面のままなので、ステップの面積は実質的に拡張されず、特に小型作業車輛の場合に、足の踵がフェンダーの前側に接触し、クラッチペダルの運転操作性や居住性を低下させる等の問題がある。
【０００４】
【課題を解決するための手段】
上記課題を解決するために本発明の作業車輛の操縦部構造は、第１に、座席６ｃの両側に配置される左右の後輪１ｂの側面及び上面を円弧状のフェンダー２で覆う作業車輛１において、前記フェンダー２がステップ６ｂに臨む前部を後輪１ｂ側に向けて陥没させてステップ面を拡張することを特徴としている。
【０００５】
第２に、ステップ６ｂに臨むフェンダー２の前部の機体内側寄りを陥没させると共に、外方側はそのまま円弧として残すことを特徴としている。
【０００６】
第３に、フェンダー２の機体外側寄りの外周縁を後輪１ｂ側に向けて屈曲形成したことを特徴としている。
【０００７】
【発明の実施の形態】
本発明の一実施形態を図面に基づいて説明する。図面において符号１は、本発明に係わるフェンダー２を備えたトラクタであり、前輪１ａと後輪１ｂを有する走行機体３に、前側からエンジン４を搭載してボンネット５で覆い、その後方にハンドル６ａとステップ６ｂと座席６ｃ等からなる操縦部６を配置し、走行機体３の構成部材で座席６ｃを載置するトランスミッションケース３ａ後部に、図示しない３点リンク方式の昇降機構を設け、耕耘装置等の作業機を装着するようにしている。
【０００８】
また図１のトラクタ１は操縦部６をキャビン７で覆ったものを示し、図２〜図５で示すトラクタ１は、上記キャビン７を取り外した状態の走行機体３に、逆Ｕ字状のガード枠８を左右のフェンダー２の後部に立設することにより、操縦部６のオペレータ保護を図るようにしている。
【０００９】
一方フェンダー２は、立壁状の側面板２ａと、該側面板２ａの上縁側から外側方に向けて平坦面状に延設される上面板２ｂとからなり、図５で示されるように、トランスミッションケース３ａの側部並びに上部に設けた複数の取付部９に、側面板２ａの複数箇所を取付ボルト１０によって締着固定し、この状態において上面板２ｂの後部側に形成している後述する取付面１１に、前記キャビン７の後部支柱１２、又はガード枠８の基部を取付ボルトによって着脱可能に締着固定するようにしている。
【００１０】
このフェンダー２の構造及び製作手段等について、図６〜図８を参照し説明する。先ず図６で示すように、フェンダー２は前記側面板２ａと上面板２ｂとからなる２つの板状部材を、それぞれ後輪１ｂの前後の中心線Ｐから左右対称形状になるようにプレス成形し、側面板２ａの上部と上面板２ｂの下部を重ねた状態で、その重合部をスポット溶接Ｓすることにより、図３で示されるように背面視で逆Ｌ字状断面となるように一体的に接合し、後輪１ｂの側面及び上面を所定の間隙を有して覆うようにしている。
【００１１】
尚、上記上面板２ｂは、内側に大きく滑らかに面取り状に形成したコーナー部１３を介し、側面板２ａに連なる立壁状の側面板１４を一体的に屈曲形成しており、フェンダー２の前後の中心線Ｐから前後端の対称位置に所定の長さと巾で外周面から高さＨだけ内側に陥没せしめ、上面板２ｂの前後端で局部的に凹陥する凹陥部１５を形成している。
これにより、前部の凹陥部１５は図４で示すように、ステップ６ｂの側縁より内側に臨むように設置され、左右のフェンダー２の前側でステップ６ｂの面積を後方に向け拡張する。また後部の凹陥部１５は、この部に後部支柱１２或いはガード枠８の取付孔１１ａ等を追加加工することにより、前記取付面１１を後部の凹陥部１５の位置に簡単に形成することができると共に、フェンダー成形用の単一な金型を簡単にすることができる等の利点がある。
【００１２】
また上面板２ｂは上記凹陥部１５，１５の間に、図示しない電装品のキットや基盤或いはスイッチ又は各種操作レバーを収容可能とする収納部１６を、前記中心線Ｐから振り分けて凹陥形成している。
そして、上面板２ｂの自由端となる円弧状の外周縁は、後輪１ｂ側に向けて高さＬだけ陥没させて屈曲せしめ、側面板２ａの外側に高さＬの周壁面１７と所定巾の凹陥外周面１９を円弧状の階段部に形成している。また階段部は後述するキャビン７のドア７０を接当する利用空間にしている。
【００１３】
従って、上記のように成形した上面板２ｂは、周壁面１７と凹陥部１５，１５と収納部１６を形成するとき、上面板２ｂの外側全周に突起状のリブ部２０を形成するので、フェンダー２の各所に収納部１６並びに取付面１１等の構造を簡単に構成し得て利便性を向上させながら、フェンダー２の剛性を簡潔で廉価な構造を以て合理的に高めることができる等の特徴がある。
また上記のように構成される左右のフェンダー２は、共通する単一なプレス成形型或いはプラスチック成形型等の成形型（金型）によって、構成部材をそれぞれ成形することができ、またこの後左右の取付部９等に対応した取付孔等を個別の追加加工によって完成されるので、型費の低減を図ることができる。
【００１４】
以上のように構成された本発明によるフェンダー構造は、座席６ｃの両側に配置される左右の後輪１ｂを側面板２ａと上面板２ｂとによって覆うとき、フェンダー２はステップ６ｂに臨む上面板２ｂの前部を後輪１ｂ側に向けて陥没させた凹陥部１５によって、ステップ面を後方に向けて拡張するから、居住性を向上させクラッチペダル等の操作を行い易くすることができる。
【００１５】
またフェンダー２の外周縁を内側に向けて屈曲し周壁面１７を形成し、該周壁面１７と凹陥部１５との間にリブ部２０を形成するので、フェンダー２の剛性を簡潔な構造によって高めることができると共に、この周壁面１７をキャビン７のドア７０を閉じた状態において接当部材として利用し、キャビン７の気密性を向上することができる。
【００１６】
即ち、この場合の実施形態の１例を図１，図８を参照し説明すると、図示例のキャビン７は簡易軽量型のタイプであり、左右のドア７０は透明なガラス又はプラスチック材で１枚板で形成し、後部支柱１２に対し複数のヒンジ部７１によって開閉回動可能に取付支持している。
そして、ドア７０の下縁はフェンダー２の円弧形状に沿って形成し、この部を図８で示されるように周壁面１７に接当せしめて閉鎖する構成にしていると共に、ドア７０の上縁及び前縁は箱枠状に形成したキャビン枠７２に開閉可能に接当させる。
【００１７】
【発明の効果】本発明は以上のように作業車輛の操縦部構造を構成したので、次のような効果を奏する。
座席の両側に配置される左右の後輪の側面及び上面を円弧状のフェンダーで覆う作業車輛において、前記フェンダーがステップに臨む前部を後輪側に向けて陥没させてステップ面を拡張することにより、フェンダーは凹陥部によってステップ面を後方に向けて簡単に拡張することができると共に、操縦部の居住性を向上させることができる。
【００１８】
ステップに臨むフェンダーの前部の機体内側寄りを陥没させると共に、外方側はそのまま円弧として残すことにより、フェンダーの剛性を簡単な構成によって高めることができる。
【００１９】
フェンダーの機体外側寄りの外周縁を後輪側に向けて屈曲形成したことにより、フェンダーの剛性をさらに高めることができる。また周壁面は操縦部に設置されるキャビンのドア接当部材として利用することができる。
【図面の簡単な説明】
【図１】本発明に係わるフェンダー構造を備えキャビンを設置した作業車輛の構成示す斜視図である。
【図２】図１の作業車輛で、キャビンを取り外しガード枠を設置した構成を示す側面図である。
【図３】図２の要部の構成を示す背面図である。
【図４】図２のステップ及びフェンダーの構成を示す平面図である。
【図５】図２の要部の構成を示す斜視図である。
【図６】フェンダーの側面図である。
【図７】図６の平面図である。
【図８】図６の正面図である。
【符号の説明】
１　　作業車輛
１ｂ　後輪
２　　フェンダー
２ａ　側面板
２ｂ　上面板
３　　走行機体
６　　操縦部
６ｂ　ステップ
６ｃ　座席
１５　　凹陥部
１７　　周壁面
２０　　リブ部
【図１】
2004074917.tif 000003
【図２】
2004074917.tif 000004
【図３】
2004074917.tif 000005
【図４】
2004074917.tif 000006
【図５】
2004074917.tif 000007
【図６】
2004074917.tif 000008
【図７】
2004074917.tif 000009
【図８】
2004074917.tif 000010